【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
トナー像を保持するトナー像保持体の表面にトナー像を形成する現像部材と、
トナーを含む現像剤を収容する現像剤容器と、
前記トナー像保持体から回収した回収トナーを前記現像剤容器内に受け入れる回収トナー受入口と、
前記現像剤容器内を第１室と第２室とに仕切る仕切り部材と、
前記第１室内に配置され回転することで現像剤を搬送する現像剤搬送手段と、
前記第１室に収容される現像剤が前記第２室へ移動可能な移動開口部と、
前記移動開口部に配置され現像剤と共に当該移動開口部を移動する異物を捕捉する捕捉手段と、
前記現像剤搬送手段に設けられ前記捕捉手段に捕捉された異物を当該現像剤搬送手段の回転に応じて前記現像剤容器の外へと移動させることで除去する異物除去手段と、
を有することを特徴とする現像器。
【請求項２】
前記捕捉手段は、前記移動開口部から前記現像剤容器の外に延びる捕捉部材を備え、
前記異物除去手段は、前記捕捉部材に沿って移動して当該捕捉部材が捕捉した異物を当該捕捉部材に沿って前記現像剤容器の外に移動させる移動操作部材を備えることを特徴とする請求項１に記載の現像器。
【請求項３】
前記異物除去手段によって前記現像剤容器の外に移動された異物の当該現像剤容器の内への逆流を規制する逆流規制部をさらに備えることを特徴とする請求項１に記載の現像器。
【請求項４】
前記異物除去手段によって除去された異物を収容する異物収容部を備えることを特徴とする請求項１に記載の現像器。
【請求項５】
トナーを含む現像剤が補給される現像剤補給口と、
余剰の現像剤を前記現像剤容器外に排出する排出手段と、をさらに備え、
前記異物除去手段は除去した異物を前記排出手段に移動させることを特徴とする請求項１に記載の現像器。
【請求項６】
トナー像を保持するトナー像保持体の表面にトナー像を形成する現像部材と、
トナーを含む現像剤を収容する現像剤容器と、
前記トナー像保持体から回収した回収トナーを前記現像剤容器内に受け入れる回収トナー受入口と、
前記現像剤容器内を第１室と第２室とに仕切る仕切り部材と、
前記第１室内に配置され回転することで現像剤を搬送する現像剤搬送手段と、
前記第１室に収容される現像剤が前記第２室へ移動可能な移動開口部と、
トナー搬送手段による前記トナーの搬送経路中に配設され異物を捕捉すると共に、前記トナーが通過可能な複数の開口を有する捕捉手段と、
前記現像剤搬送手段に設けられ前記捕捉手段に捕捉された異物を当該現像剤搬送手段の回転に応じて前記現像剤容器の外へと移動させることで除去する異物除去手段と、
前記現像剤容器外へ排出された異物を収容する異物収容部と、を有し、
前記捕捉手段に設けられた複数の前記開口は、前記異物収容部まで延びていることを特徴とする現像器。
【請求項７】
トナー像を保持するトナー像保持体と、
前記トナー像保持体の表面にトナー像を形成する現像器と、
前記像保持体上のトナーを除去回収して当該像保持体上をクリーニングするクリーニング装置と、
前記クリーニング装置が回収したトナーを前記現像器に搬送する回収トナー搬送機構と、を備え、
前記現像器は、
前記トナー像保持体表面にトナー像を形成する現像部材と、
トナーを含む現像剤を収容する現像剤容器と、
前記現像剤容器内を第１室と第２室とに仕切る仕切り部材と、
前記第１室内に配置され回転することで現像剤を搬送する現像剤搬送手段と、
前記第１室に収容される現像剤が前記第２室へ移動可能な移動開口部と、
前記移動開口部に配置され現像剤と共に当該移動開口部を移動する異物を捕捉する捕捉手段と、
前記現像剤搬送手段に設けられ前記捕捉手段に捕捉された異物を当該現像剤搬送手段の回転に応じて前記現像剤容器の外へと移動させることで除去する異物除去手段と、
を有することを特徴とする画像形成装置。
【請求項８】
トナー像を保持するトナー像保持体と、
前記トナー像保持体の表面にトナー像を形成する現像器と、
前記現像器にトナーを含む現像剤を補給する現像剤補給装置と、
前記トナー像保持体上のトナーを除去回収して当該トナー像保持体上をクリーニングするクリーニング装置と、
前記現像器に前記クリーニング装置が回収したトナーを搬送する回収トナー搬送機構と、を備え、
前記現像器は、
前記トナー像保持体表面にトナー像を形成する現像部材と、
トナーを含む現像剤を収容する現像剤容器と、
前記現像剤容器内を第１室と第２室とに仕切る仕切り部材と、
前記第１室内に配置され回転することで現像剤を搬送する現像剤搬送手段と、
前記第１室に収容される現像剤が前記第２室へ移動可能な移動開口部と、
前記移動開口部に配置され現像剤と共に当該移動開口部を移動する異物を捕捉する捕捉手段と、
余剰の現像剤を前記現像剤容器の外に排出する排出手段と、
前記現像剤搬送手段に設けられ前記捕捉手段に捕捉された異物を当該現像剤搬送手段の回転に応じて前記排出手段に移動させることで除去する異物除去手段と、
を有することを特徴とする画像形成装置。
【手続補正２】
【補正対象書類名】明細書
【補正対象項目名】０００６
【補正方法】変更
【補正の内容】
【０００６】
かかる目的を達成するために、本発明の現像器は、トナー像を保持するトナー像保持体の表面にトナー像を形成する現像部材と、トナーを含む現像剤を収容する現像剤容器と、トナー像保持体から回収した回収トナーを現像剤容器内に受け入れる回収トナー受入口と、現像剤容器内を第１室と第２室とに仕切る仕切り部材と、第１室内に配置され回転することで現像剤を搬送する現像剤搬送手段と、第１室に収容される現像剤が第２室へ移動可能な移動開口部と、移動開口部に配置され現像剤と共に移動開口部を移動する異物を捕捉する捕捉手段と、現像剤搬送手段に設けられ捕捉手段に捕捉された異物を現像剤搬送手段の回転に応じて現像剤容器の外へと移動させることで除去する異物除去手段と、を有することを特徴とする。
ここで、捕捉手段は、移動開口部から現像剤容器の外に延びる捕捉部材を備え、異物除去手段は、捕捉部材に沿って移動して捕捉部材が捕捉した異物を捕捉部材に沿って現像剤容器の外に移動させる移動操作部材を備えることを特徴とすることができる。
また、異物除去手段によって現像剤容器の外に移動された異物の現像剤容器の内への逆流を規制する逆流規制部をさらに備えることを特徴とすることができる。
さらに、異物除去手段によって除去された異物を収容する異物収容部を備えることを特徴とすることができる。
さらにまた、トナーを含む現像剤が補給される現像剤補給口と、余剰の現像剤を現像剤容器外に排出する排出手段と、をさらに備え、異物除去手段は除去した異物を排出手段に移動させることを特徴とすることができる。
また本発明の他の現像器は、トナー像を保持するトナー像保持体の表面にトナー像を形成する現像部材と、トナーを含む現像剤を収容する現像剤容器と、トナー像保持体から回収した回収トナーを現像剤容器内に受け入れる回収トナー受入口と、現像剤容器内を第１室と第２室とに仕切る仕切り部材と、第１室内に配置され回転することで現像剤を搬送する現像剤搬送手段と、第１室に収容される現像剤が第２室へ移動可能な移動開口部と、トナー搬送手段によるトナーの搬送経路中に配設され異物を捕捉すると共に、トナーが通過可能な複数の開口を有する捕捉手段と、現像剤搬送手段に設けられ捕捉手段に捕捉された異物を現像剤搬送手段の回転に応じて現像剤容器の外へと移動させることで除去する異物除去手段と、現像剤容器外へ排出された異物を収容する異物収容部と、を有し、捕捉手段に設けられた複数の開口は異物収容部まで延びていることを特徴とする。
【手続補正３】
【補正対象書類名】明細書
【補正対象項目名】０００９
【補正方法】変更
【補正の内容】
【０００９】
請求項１の発明の現像器によれば、現像剤に混入した紙粉等の異物を捕捉手段が捕捉して、その異物を異物除去手段が現像剤容器の外へと移動させることができ、現像剤に混入した異物に起因する画像不良を抑制することができる。
請求項２の発明の現像器によれば、捕捉手段が捕捉した異物を円滑に現像剤容器の外へと移動させることができ、現像剤に混入した異物に起因する画像不良を抑制することができる。
請求項３の発明の現像器によれば、現像剤容器の外に移動された異物の現像剤容器の内への逆流を逆流規制部によって規制することができ、現像剤に混入した異物に起因する画像不良を抑制することができる。
請求項４の発明の現像器によれば、異物除去手段によって除去された異物を異物収容部に安定的に収容することができ、現像剤に混入した異物に起因する画像不良を抑制することができる。
請求項５の発明の現像器によれば、異物除去手段が除去した異物を排出手段で現像剤容器外に排出することができ、現像剤に混入した異物に起因する画像不良を抑制することができる。
請求項７の発明の画像形成装置によれば、現像剤に混入した紙粉等の異物を捕捉手段が捕捉して、その異物を異物除去手段が現像剤容器の外へと移動させることができ、現像剤に混入した異物に起因する画像不良を抑制することができる。
請求項８の発明の画像形成装置によれば、異物除去手段が除去した異物を排出手段で現像剤容器外に排出することができ、現像剤に混入した紙粉等の異物に起因する画像不良を抑制することができる。